(57)【特許請求の範囲】
【請求項１】
基礎構造物より土留厚分及び一定の間隔をとった巾に沿って、リード鋼を先に沈降させ、リード鋼に誘導させながら、鉄製仮枠ボックスの自重により隣地側地盤を削りながら、土の掘削とともに所定深さまで沈降させ、そして鉄製仮枠ボックス内に、構造用鋼材および鉄筋組みを行い、基礎ベース及び土留壁コンクリートを打込み、鉄製仮枠ボックスを引抜く、地中に場所打ちＬ型コンクリート構造物を作成することを特徴とする土留工法
【発明の詳細な説明】
【技術分野】
【０００１】  本発明は、鉄製仮枠ボックス及び土留工法に関し、比較的浅い土留の場合、予定地下構造物に沿って簡単な工法により、隣地地盤への影響をなくし、工期を短縮し、振動をなくし、騒音を軽減し、土留部分にあたる障害物の撤去を容易にし、狭い場所でも行えることに優れた技術に関する。
【背景技術】
【０００２】  従来の土留工法は鋼矢板、Ｈ鋼等の打込み引抜きの伴う工法（例えば非特許文献１，２参照）が一般的であるが、このため隣地が土留に近接している場合、打つ込み引抜き時の振動と騒音を伴う欠点が指摘されている。【０００３】さらに打込んだ物の体積分が引抜きの際、土中に空隙が生じるため隣地地盤への影響の要因を生じていた。【０００４】しかも土留工事の際、一度打込み工事を行い一旦工事を中断して、基礎構造物、埋め戻しが終了後、再度引抜き工事を行わなければならない為、工期がかかる欠点がある。【０００５】そして使用する機器が比較的大型であり、振動騒音も大きくなりやすく、狭い敷地での作業に困難なばあいを生じていた。
【非特許文献１】専門士課程  建築施工〈第二版〉５．２．３山留め工法３０〜３３頁参照  福田健策＋渡辺亮一著  学芸出版社２００４年３月３０日発行
【非特許文献２】建築施工教科書第四版  ５．４山留め工事５１〜５４頁参照  建築施工教科書研究会編著  彰国社２００６年７月１０日発行
【発明の開示】
【発明が解決しようとする課題】
【０００６】  このため本発明は、予定地下構造物に沿って、簡単な工法により、隣地地盤への影響をなくし、振動をなくし、騒音を軽減し、工期を短縮し、土留部分にあたる障害物の撤去を容易にし、狭い敷地でも工事できることを目的とする。
【課題を解決するための手段】
【０００７】  基礎構造物より土留厚分及び一定の間隔の巾に沿って、リード鋼を先に沈降させ、リード鋼に誘導させながら、鉄製仮枠ボックスの自重により隣地側地盤を削りながら、鉄製仮枠ボックスを土の掘削とともに所定深さまで沈降させ、そして鉄製仮枠ボックス内に、構造用鋼材および鉄筋組みを行い、基礎ベース及び土留壁コンクリートを打込み、鉄製仮枠ボックスを引抜く、地中に場所打ちＬ型構造物を作成し、連続させることを構成する。
【発明の効果】
【０００８】  上記目的を達成させるため、基礎構造物より一定の間隔（土留厚分）に沿って、リード鋼６（図３、４）を先に沈降させ、リード鋼に誘導させながら、鉄製仮枠ボックス（図１、２）を、土留作業のための掘削部分１２（図３、４）に穴を掘削する要領で掘削、その際隣地側地盤１１（図３、４）の部分を鉄製仮枠ボックスが地盤を削りながら沈降する為、又鉄製仮枠ボックスの鉄板２が土の崩壊を防ぐ為、隣地地盤への影響をなくす。【０００９】又鉄製仮枠ボックスを沈降させる際、地中障害物等の撤去は容易に除去できる。【００１０】その後鉄板仮枠ボックスを所定の深さまで沈降させて、鉄製仮枠ボックス内に構造用鋼材７（図３、４）を圧入し、あらかじめ組み立てた鉄筋８（図３、４）を組み込み、時間をおかずＬ型土留コンクリートベース部分９（図５，６，７）のコンクリートを打設し、鉄製仮枠ボックスの鉄板３の上部（図３）迄埋め戻し、その高さまで鉄製仮枠ボックス内にＬ型土留コンクリート垂直部分の下部を打設し、鉄製仮枠ボックスを今打設した少し下部まで引抜く、土に仮枠の役目をさせ、この埋め戻し、コンクリート打設、鉄製仮枠ボックス引抜きの作業を繰り返し、Ｌ型土留コンクリート垂直部分１０全体即ち地盤面までコンクリートを打設する（図５，６，７の状況）ため、鉄製仮枠ボックスの引抜きによる空隙と、地中障害物の除去による空隙は、コンクリートの比重の大きさ（土より重い）と、流動性によって、加圧充填され、隣地地盤への影響はなくなる。【００１１】またこのＬ型のコンクリート土留１４（図８，９）を１枚分の間隔をあけ、１４の部分を終了させた後、その間の部分に同じＬ型のコンクリート土留１５を図８，９のように連続させ、全体のＬ型土留コンクリートを連続させるように行う、この一連の作業を掘削機（バックホウ）で行う為，打込み、引抜きによる振動はなく、騒音にたいしても非常に軽減する事ができる。【００１２】さらに掘削機での作業の為、大型の機器を使用しなくても作業でき、狭い場所での作業も容易である。
【発明を実施するための最良の形態】
【００１３】  以下に本発明の１例を、図に基づいて説明する。まず図１、２において、本発明に使用される鉄製仮枠ボックスについて説明する。図のように鉄板２，３，４により、長方形断面をした筒状の形をしており、上下にはない。また上部吊り下げようのワイヤー１（図１）を設置されている。鉄板は所要深さ、地盤の状況による土圧に耐えうる厚さで構成されている。【００１４】  土留工事に着手以前に水位が高い場合、水位を根伐底より下降させておく、先ず土が崩壊しない深さまで掘削する。そしてその鉄製仮枠ボックスを基礎構造物より一定の間隔（土留厚分）に沿って、リード鋼６（図３、４）を先に沈降させ、リード鋼に誘導させながら、土留作業の為の掘削部分１２（図３、４）に穴を掘削する要領で掘削、その際隣地側地盤１１（図３、４）の部分を鉄製仮枠ボックスが地盤を削りながら沈降する。【００１５】又鉄製仮枠ボックスを沈降させる際、地中障害物があれば、掘削しながら除去する。【００１６】その後鉄板仮枠ボックスを所定の深さまで沈降させて、鉄製仮枠ボックス内に構造用鋼材７（図３、４）を圧入し、あらかじめ組み立てた鉄筋組８（図３、図４）を組み込む。【００１７】そして時間をおかずＬ型土留コンクリートベース部分（図５）を打設し、鉄製仮枠ボックスの鉄板２の上部（図３）迄埋め戻し、その高さまで鉄製仮枠ボックス内にＬ型土留コンクリート垂直部分を打設し、鉄製仮枠ボックスを今打設した少し下部まで引抜く、この埋め戻し、Ｌ型土留コンクリート垂直部分打設、鉄製仮枠ボックス引抜きの作業を繰り返し、地盤面までコンクリートを打設する（図３の状況）。【００１８】またこのＬ型コンクリート土留第一次１４（図９）を１枚分の間隔をあけ、施工をおこなう。【００１９】Ｌ型コンクリート土留第一次１４の硬化後、その間の部分Ｌ型コンクリート土留第二次１５と１４の接合部は、コンパネ仮枠１６で図８の要領で覆いＬ型コンクリート土留第二次１５のコンクリート打設と同時に行い全体のＬ型土留を連続させることができる。【００２０】図１０は土留工事施工後の参考として、根伐をし、栗敷１７、ステコン１８、基礎構造物ベース１９、基礎構造物柱２０、基礎構造物地中梁２１を終えた状況である。
【産業上の利用可能性】
【００２１】本発明は、建築基礎工事及び土木基礎工事等において、もちいられる。
【図面の簡単な説明】
【００２１】
【図１】  鉄製仮枠ボックス立面図
【図２】  鉄製ボックス縦断面図
【図３】  所望位置まで掘削して構造用鋼材、鉄筋組立後の垂直断面図
【図４】  図３の水平断面図
【図５】  土留のコンクリート終了時（鉄製仮枠ボックス引抜前）垂直断面図
【図６】  図５の上部水平断面図
【図７】  図５の下部水平断面図
【図８】  連結時の水平断面図
【図９】  連結説明平面図
【図１０】  実施例を示す土留工事後の参考断面図
【符号の説明】
【００２２】１    吊りワイヤー
２    鉄製仮枠ボックスの隣地地盤側鉄板
３    鉄製仮枠ボックスの根伐側鉄板
４    鉄製仮枠ボックスの横サイド側鉄板
５    地盤表土面（ＧＬ）
６    リード用鋼材
７    構造用鋼材
８    鉄筋組
９    Ｌ型土留コンクリートベース部分
１０  Ｌ型土留コンクリート垂直部分
１１  隣地側地盤
１２  土留作業のための掘削部分
１３  根伐側地盤
１４  Ｌ型コンクリート土留第一次
１５  Ｌ型コンクリート土留第二次
１６  コンパネ型枠
１７  栗敷
１８  ステコン
１９  基礎構造物ベース
２０  基礎構造物柱
２１  基礎構造物地中梁
【図１】
0005017528.tif 000002
【図２】
0005017528.tif 000003
【図３】
0005017528.tif 000004
【図４】
0005017528.tif 000005
【図５】
0005017528.tif 000006
【図６】
0005017528.tif 000007
【図７】
0005017528.tif 000008
【図８】
0005017528.tif 000009
【図９】
0005017528.tif 000010
【図１０】
0005017528.tif 000011